(57)【特許請求の範囲】
【請求項１】
レンズの光学防振に用いられる光学防振アセンブリであって、
前記光学防振アセンブリは環状の第１ベース、前記第１ベースの内側に間隔を置いて設けられてレンズを取り付けるための第２ベース、及び前記第２ベースを駆動してレンズの光軸に垂直な方向に移動させるための３本の形状記憶合金ワイヤを含み、
各前記形状記憶合金ワイヤはいずれも前記第１ベースに固定される第１固定端、前記第１固定端から前記第２ベースの方向に向かって延伸する第１延伸部分、前記第２ベースに固定される第２固定端、前記第２固定端から前記第１ベースの方向に向かって延伸する第２延伸部分、及び前記第２延伸部分に接続され且つ前記第１ベースに固定される第３固定端を含み、
前記第１固定端は前記第３固定端と間隔を置いて設置され、
前記第１延伸部分の前記第１固定端から離れた端部は前記第２固定端に固定され、隣接する２本の前記形状記憶合金ワイヤが通電された時にそれぞれ前記第２ベースに対して生成する２つの駆動力の夾角が１８０°未満であり、且つ各前記形状記憶合金ワイヤが生成する駆動力の逆延長線が一点に集約され、
３本の前記形状記憶合金ワイヤがそれぞれ第１形状記憶合金ワイヤ、第２形状記憶合金ワイヤ及び第３形状記憶合金ワイヤとし、
前記第１ベースは、第１側板、前記第１側板と間隔を置いて対向して設置される第２側板、および前記第１側板と前記第２側板との間に接続されて、且つ互いに離隔された第３側板と第４側板を含み、
前記第１形状記憶合金ワイヤの第１固定端と第３固定端は前記第１側板に間隔を置いて固定され、
前記第２形状記憶合金ワイヤの第１固定端は前記第２側板に固定され、前記第２形状記憶合金ワイヤの第３固定端は前記第３側板に固定され、前記第３形状記憶合金ワイヤの第１固定端は前記第２側板に固定され、前記第３形状記憶合金ワイヤの第３固定端は前記第４側板に固定されることを特徴とする光学防振アセンブリ。
【請求項２】
レンズの光学防振に用いられる光学防振アセンブリであって、
前記光学防振アセンブリは環状の第１ベース、前記第１ベースの内側に間隔を置いて設けられてレンズを取り付けるための第２ベース、及び前記第２ベースを駆動してレンズの光軸に垂直な方向に移動させるための３本の形状記憶合金ワイヤを含み、
各前記形状記憶合金ワイヤはいずれも前記第１ベースに固定される第１固定端、前記第１固定端から前記第２ベースの方向に向かって延伸する第１延伸部分、前記第２ベースに固定される第２固定端、前記第２固定端から前記第１ベースの方向に向かって延伸する第２延伸部分、及び前記第２延伸部分に接続され且つ前記第１ベースに固定される第３固定端を含み、
前記第１固定端は前記第３固定端と間隔を置いて設置され、
前記第１延伸部分の前記第１固定端から離れた端部は前記第２固定端に固定され、隣接する２本の前記形状記憶合金ワイヤが通電された時にそれぞれ前記第２ベースに対して生成する２つの駆動力の夾角が１８０°未満であり、且つ各前記形状記憶合金ワイヤが生成する駆動力の逆延長線が一点に集約され、
３本の前記形状記憶合金ワイヤがそれぞれ第１形状記憶合金ワイヤ、第２形状記憶合金ワイヤと第３形状記憶合金ワイヤとし、
前記第１ベースは、第１側板、前記第１側板と間隔を置いて対向して設置される第２側板、および前記第１側板と前記第２側板との間に接続されて、且つ互いに離隔された第３側板と第４側板を含み、
前記第１形状記憶合金ワイヤの第１固定端と第３固定端は前記第１側板に間隔を置いて固定され、
前記第２形状記憶合金ワイヤの第１固定端は前記第２側板に固定され、前記第２形状記憶合金ワイヤの第３固定端は前記第３側板に固定され、前記第３形状記憶合金ワイヤの第１固定端と第３固定端は前記第４側板に間隔を置いて固定されることを特徴とする光学防振アセンブリ。
【請求項３】
前記光学防振アセンブリは、前記第２ベースに突出して設置された３つの凸柱をさらに含み、３つの前記凸柱は、前記光軸の周りに間隔を置いて設けられ、各前記凸柱は、対応する一つの前記形状記憶合金ワイヤの第２固定端に接続されることを特徴とする請求項１または２に記載の光学防振アセンブリ。
【請求項４】
前記光学防振アセンブリは、前記凸柱に設けられ、前記第２固定端が前記凸柱から脱落することを防止するための止め板をさらに含むことを特徴とする請求項３に記載の光学防振アセンブリ。
【請求項５】
前記光学防振アセンブリは、前記第１ベースに固定された複数の接続端子をさらに備え、前記第１固定端と前記第３固定端はそれぞれ一つの前記接続端子に電気的に接続されることを特徴とする請求項１または２に記載の光学防振アセンブリ。
【請求項６】
前記第１ベースに複数の取付柱が突出して設置され、各前記接続端子に前記取付柱と嵌合するための貫通孔が設けられることを特徴とする請求項５に記載の光学防振アセンブリ。
【請求項７】
前記第１ベースにさらに複数の凹溝が凹設され、前記取付柱が前記凹溝に設けられ、前記接続端子が前記凹溝に嵌設されることを特徴とする請求項６に記載の光学防振アセンブリ。
【請求項８】
前記接続端子は、前記第１固定端または前記第３固定端に電気的に接続されるための固定部と、外部電源に接続するための導電部と、前記導電部と前記固定部との間に接続される屈曲部とを含み、前記屈曲部は前記導電部からＳ字形で前記固定部まで延伸することを特徴とする請求項７に記載の光学防振アセンブリ。
【請求項９】
前記凹溝は第１溝部と前記第１溝部と連通する第２溝部を含み、前記固定部は前記第１溝部に嵌設され、前記導電部は前記第２溝部に嵌設されることを特徴とする請求項８に記載の光学防振アセンブリ。
【発明の詳細な説明】
【技術分野】
【０００１】
本発明はレンズの光学結像技術の分野に関し、特に光学防振アセンブリに関する。
【背景技術】
【０００２】
近年、スマートフォン、タブレットパソコンと同様な携帯端末に高性能レンズモジュールが搭載されている。この高性能レンズモジュールは、一般的にオートフォーカス機能（Ａｕｔｏ  Ｆｏｃｕｓｉｎｇ、ＡＦ）及び光学防振機能（Ｏｐｔｉｃａｌ  Ｉｍａｇｅ  Ｓｔａｂｉｌｉｚａｔｉｏｎ、ＯＩＳ）を有する。高性能レンズモジュールがオートフォーカスする時、レンズをレンズの光軸方向に移動させ、光学防振機能を実現する際には、レンズをレンズの光軸に垂直する方向に移動させる。形状記憶合金（ｓｈａｐｅ  ｍｅｍｏｒｙ  ａｌｌｏｙｓ、  ＳＭＡ）は、現在の形状記憶材料における形状記憶性能が最も優れているため、ＳＭＡワイヤは光学的防振の分野で広く用いられている。
【０００３】
従来のレンズモジュールは防振機能を実現するために、一般的に４本のＳＭＡワイヤを設置する必要があり、且つ４本のＳＭＡワイヤの両端がそれぞれ４つの側部に固定され、４本のＳＭＡワイヤが４つの異なる方向の駆動力を生成することができ、この４つの駆動力の大小関係を調整することにより、レンズを光軸に垂直する平面内で任意的に移動させることができることで、防振機能が実現される。しかし、４本のＳＭＡワイヤを設置することは、レンズモジュールの構造を比較的に複雑にさせるだけでなく、生産コストも増加させる。
【０００４】
従って、上記問題を解決することができる光学防振アセンブリを開発する必要がある。
【発明の概要】
【発明が解決しようとする課題】
【０００５】
本発明の目的は、構造を簡単させ、生産コストを低減できるという利点を有する光学防振アセンブリを提供することである。
【課題を解決するための手段】
【０００６】
本発明の目的は以下の技術的解決手段を用いて実現する。
【０００７】
レンズの光学防振に用いられる光学防振アセンブリであって、前記光学防振アセンブリは環状の第１ベース、前記第１ベースの内側に間隔を置いて設けられてレンズを取り付けるための第２ベース、及び前記第２ベースを駆動してレンズの光軸に垂直する方向に移動させるための３本の形状記憶合金ワイヤを含み、各前記形状記憶合金ワイヤはいずれも前記第１ベースに固定される第１固定端、前記第１固定端から前記第２ベースの方向に向かって延伸する第１延伸部分、前記第２ベースに固定される第２固定端、前記第２固定端から前記第１ベースの方向に向かって延伸する第２延伸部分、及び前記第２延伸部分に接続され且つ前記第１ベースに固定される第３固定端を含み、前記第１固定端は前記第３固定端と間隔を置いて設置され、第１延伸部分の前記第１固定端から離れた端部は前記第２固定端に固定され、隣接する２本の前記形状記憶合金ワイヤが通電された時にそれぞれ前記第２ベースに対して生成する２つの駆動力の夾角が１８０°未満であり、且つ各前記形状記憶合金ワイヤが生成する駆動力の逆延長線が一点に集約される。
【０００８】
１つの改良として、３本の前記形状記憶合金ワイヤがそれぞれ第１形状記憶合金ワイヤ、第２形状記憶合金ワイヤ及び第３形状記憶合金ワイヤとし、前記第１ベースは、第１側板、前記第１側板と間隔を置いて対向して設置される第２側板、および前記第１側板と前記第２側板との間に接続されて、且つ互いに離隔された第３側板と第４側板を含み、前記第１形状記憶合金ワイヤの第１固定端と第３固定端は前記第１側板に間隔を置いて固定され、前記第２形状記憶合金ワイヤの第１固定端は前記第２側板に固定され、前記第２形状記憶合金ワイヤの第３固定端は前記第３側板に固定され、前記第３形状記憶合金ワイヤの第１固定端は前記第２側板に固定され、前記第３形状記憶合金ワイヤの第３固定端は前記第４側板に固定される。
【０００９】
１つの改良として、３本の前記形状記憶合金ワイヤがそれぞれ第１形状記憶合金ワイヤ、第２形状記憶合金ワイヤと第３形状記憶合金ワイヤとし、前記第１ベースは、第１側板、前記第１側板と間隔を置いて対向して設置される第２側板、および前記第１側板と前記第２側板との間に接続されて、且つ互いに離隔された第３側板と第４側板を含み、前記第１形状記憶合金ワイヤの第１固定端と第３固定端は前記第１側板に間隔を置いて固定され、前記第２形状記憶合金ワイヤの第１固定端は前記第２側板に固定され、前記第２形状記憶合金ワイヤの第３固定端は前記第３側板に固定され、前記第３形状記憶合金ワイヤの第１固定端と第３固定端は前記第４側板に間隔を置いて固定される。
【００１０】
１つの改良として、前記光学防振アセンブリは、前記第２ベースに突出して設置された３つの凸柱をさらに含み、３つの前記凸柱は、前記光軸の周りに間隔を置いて設けられ、各前記凸柱は、対応する一つの前記形状記憶合金ワイヤの第２固定端に接続される。
【００１１】
１つの改良として、前記光学防振アセンブリは、前記凸柱に設けられ、前記第２固定端が前記凸柱から脱落することを防止するための止め板をさらに含む。
【００１２】
１つの改良として、前記光学防振アセンブリは、前記第１ベースに固定された複数の接続端子をさらに備え、前記第１固定端と前記第３固定端はそれぞれ一つの前記接続端子に電気的に接続される。
【００１３】
１つの改良として、前記第１ベースに複数の取付柱が突出して設置され、各前記接続端子に前記取付柱と嵌合するための貫通孔が設けられる。
【００１４】
１つの改良として、前記第１ベースにさらに複数の凹溝が凹設され、前記取付柱が前記凹溝に設けられ、前記接続端子が前記凹溝に嵌設される。
【００１５】
１つの改良として、前記接続端子は、前記第１固定端または前記第３固定端に電気的に接続されるための固定部と、外部電源に接続するための導電部と、前記導電部と前記固定部との間に接続される屈曲部とを含み、前記屈曲部は前記導電部からＳ字形で前記固定部まで延伸する。
【００１６】
１つの改良として、前記凹溝は第１溝部と前記第１溝部と連通する第２溝部を含み、前記固定部は前記第１溝部に嵌設され、前記導電部は前記第２溝部に嵌設される。
【発明の効果】
【００１７】
本発明の実施形態は、従来技術に対して、３本の形状記憶合金ワイヤを設置することにより、各形状記憶合金ワイヤはいずれも第１固定端、第１延伸部分、第２固定端、第２延伸部分及び第３固定端を含み、第１固定端と第３固定端は第１ベースと接続され、第２固定端は第２ベースと接続され、隣接する２本の形状記憶合金ワイヤはそれぞれ第２ベースに対して生成する２つの駆動力の間の夾角が１８０°未満であり、且つ３本の形状記憶合金ワイヤが生成する３つの駆動力の逆延長線が一点に集約され、３つの駆動力の大小関係を調整することにより、第２ベースを駆動して光軸に垂直する任意の方向に移動させることができ、３本の形状記憶合金ワイヤだけで防振効果を実現することができるので、構造が比較的に簡単になり、且つ形状記憶合金ワイヤの数を減少させ、生産コストを低減させる。
【図面の簡単な説明】
【００１８】
【図１】図１は、本発明の実施例１が提供する光学防振アセンブリの構造概略図である。
【図２】図２は、本発明の実施例１が提供する光学防振アセンブリの部分分解概略図である。
【図３】図３は、図１の別の角度の構造概略図である。
【図４】図４は、図１に示している形状記憶合金ワイヤの構造概略図である。
【図５】図５は、図２に示している第１ベースの構造概略図である。
【図６】図６は、図２に示している第２ベースと凸柱の組み立て模式図である。
【図７】図７は、図２に示している接続端子の構造概略図である。
【図８】図８は、本発明の実施例２が提供する光学防振アセンブリの構造概略図である。
【符号の説明】
【００１９】
１００      光学防振アセンブリ
１０        第１ベース
２０        第２ベース
３０        形状記憶合金ワイヤ
２１        取付孔
４０        凸柱
５０        止め板
６０        接続端子
１１        第１側板
１２        第２側板
１３        第３側板
１４        第４側板
３１        第１固定端
３２        第１延伸部分
３３        第２固定端
３４        第２延伸部分
３５        第３固定端
３６        第１形状記憶合金ワイヤ
３７        第２形状記憶合金ワイヤ
３８        第３形状記憶合金ワイヤ
４１        第１延伸部
４２        第２延伸部
５１        環状溝
６２        固定部
６３        導電部
６４        屈曲部
１５        凹溝
１６        取付柱
６１        貫通孔
１５１      第１溝部
１５２      第２溝部
２００      光学防振アセンブリ
２０１      第２側板
２０２      接続端子
２０３      第４側板
２０４      第３形状記憶合金ワイヤ
【発明を実施するための形態】
【００２０】
以下では図面及び実施形態を参照しながら本発明をさらに説明する。
【００２１】
なお、本発明の実施例におけるすべての方向性指示（例えば、上、下、左、右、前、後、内、外、頂部、底部（略））は、特定の姿勢（例えば、図面に示す）で各部品の間の相対的な位置関係等を説明することに用いられ、当該特定の姿勢が変化する場合には、当該方向性指示はそれに応じて変化する。
【００２２】
また、部品が、別の部品に「固定する」または「設置する」と称する場合、その部品は、他の部品に直接的に接触し、または、介在部品が存在してもよい。一つの部品が他の部品に「接続する」と称する場合、その部品は、他の部品に直接的に接触し、または、介在部品が存在してもよい。
【００２３】
（実施例１）
図１−４を参照し、本発明の実施例１は光学防振アセンブリ１００を提供し、第１ベース１０、第２ベース２０、及び３本の形状記憶合金ワイヤ３０を含み、第１ベース１０は環状を呈し、第２ベース２０は第１ベース１０の内側に間隔を置いて設置され、第２ベース２０には、レンズを取り付けるための取付孔２１が設けられる。各形状記憶合金ワイヤ３０は、第１ベース１０に固定された第１固定端３１、第１固定端３１から第２ベース２０の方向に向かって延伸する第１延伸部分３２、第２ベース２０に固定された第２固定端３３、第２固定端３３から第１ベース１０の方向に向かって延伸する第２延伸部分３４、及び第２延伸部分３４と接続され且つ第１ベース１０に固定された第３固定端３５を含み、第１固定端３１と第３固定端３５は間隔を置いて設置され、第１延伸部分３２の第１固定端３１から離れた端部が第２固定端部３３に固定され、つまり、各形状記憶合金ワイヤ３０はＶ字状に設けられている。３本の形状記憶合金ワイヤ３０は、レンズの光軸Ｓに囲まれて間隔を置いて設置され、任意の隣接する２本の形状記憶合金ワイヤ３０が通電される時、それぞれ第２ベース２０に対して生成する駆動力Ｆの夾角は１８０°未満であり、且つ各形状記憶合金ワイヤ３０が生成する駆動力Ｆの逆延長線は、一点Ｅに集約されている。
【００２４】
３本の形状記憶合金ワイヤ３０が通電されていない場合、第２ベース２０は第１ベース１０の内側の元の位置に位置され、この時、３本の形状記憶合金ワイヤ３０は弛緩した状態にある。手振れによってレンズが光軸Ｓに垂直する方向にずれた場合には、すなわち、第２ベース２０が、光軸Ｓに垂直する方向に第１ベース１０に対してずれた場合、対応する形状記憶合金ワイヤ３０に電流を流し、形状記憶合金ワイヤ３０は熱を受けて収縮され、形状記憶合金ワイヤ３０は、第２ベース２０に対して光軸Ｓに垂直する方向の駆動力Ｆを生成し、且つ第２ベース２０を駆動して駆動力Ｆの方向に移動させることで、第２ベース２０、即ちレンズを元の位置に戻し、それにより防振効果を達成する。
【００２５】
本実施例において、隣接する２本の形状記憶合金ワイヤ３０がそれぞれ生成する駆動力Ｆの角度が１８０°未満を設置し、且つ各形状記憶合金ワイヤ３０が生成する駆動力Ｆの逆延長線が一点Ｅに集約されることにより、３つの駆動力の大小関係を調整すると、第２ベース２０を駆動して光軸Ｓに垂直する任意の方向に移動させることができ、従来の防振レンズが４本の形状記憶合金ワイヤを使用する必要があることに対して、本実施例における光学防振アセンブリ１００は、３本の形状記憶合金ワイヤ３０のみで防振機能を実現することができるので、構造がより簡単になり、生産コストも低減させる。
【００２６】
図２及び図５を参照し、本実施例の改良形態として、第１ベース１０は４つの側板で囲まれている。４つの側板はそれぞれ第１側板１１、第２側板１２、第３側板１３、及び第４側板１４とし、第１側板１１と第２側板１２は間隔を置いて平行的に設置され、第３側板１３と第４側板１４は平行的に間隔を置いて設置され且つ第１側板１１と第２側板１２の両端の間に接続される。３本の形状記憶合金ワイヤ３０がそれぞれ第１形状記憶合金ワイヤ３６、第２形状記憶合金ワイヤ３７、及び第３形状記憶合金ワイヤ３８とし、第１形状記憶合金ワイヤ３６の第１固定端３１と第３固定端３５は第１側板１１に間隔を置いて固定され、第２形状記憶合金ワイヤ３７の第１固定端３１は第２側板１２に固定され、第３固定端３５は第３側板１３に固定され、第３形状記憶合金ワイヤ３８の第１固定端３１は第２側板１２に固定され、第３固定端３５は第４側板１４に固定される。
【００２７】
本実施例において、第１形状記憶合金ワイヤ３６の初期長さは７．９ｍｍであり、第１形状記憶合金ワイヤ３６が収縮によって第２ベース２０を駆動して０．１５ｍｍ移動させた場合、第１形状記憶合金ワイヤ３６が収縮した後の長さは７．８４ｍｍになり、その歪み率は約０．７６％である。第２形状記憶合金ワイヤ３７と第３形状記憶合金ワイヤ３８の初期長さは５．５６ｍｍであり、第２形状記憶合金ワイヤ３７または第３形状記憶合金ワイヤ３８が収縮によって第２ベース２０を駆動して０．１５ｍｍ移動させた場合、第２形状記憶合金ワイヤ３７または第３形状記憶合金ワイヤ３８が収縮した後の長さは５．５３ｍｍになり、両者の歪み率は約０．５４％である。
【００２８】
第１ベース１０は上記４つの側板を用いる設置方式に限定されるものではなく、例えば、第１ベース１０は円環状に設置されてもよく、３本の形状記憶合金ワイヤ３０が光軸Ｓの周りに間隔を置いて設置され、３つの駆動力の大小関係を調整することによって第２ベース２０を光軸Ｓに垂直する任意の方向に移動させることができるように設置すればよい。
【００２９】
図２を参照し、本実施例の改良形態として、光学防振アセンブリ１００はさらに３つの凸柱４０、３つの止め板５０、及び６つの接続端子６０を含み、第１ベース１０の第１側板１１及び第２側板１２に、２つの接続端子６０が間隔を置いて設けられ、第３側板１３と第４側板１４にそれぞれ１つの接続端子６０が設けられ、３つの凸柱４０が第２ベース２０に固定され、且つ光軸Ｓの周りに間隔を置いて設置され、各凸柱４０に１つの止め板５０が固定され、３本の形状記憶合金ワイヤ３０の第１固定端３１と第３固定端３５は、接続端子６０を介して第１ベース１０に固定され、第２固定端３３は、凸柱４０を介して第２ベース２０に固定される。好ましくは、第２固定端３３と凸柱４０は接着剤方式で固定することができる。
【００３０】
なお、形状記憶合金ワイヤ３０は、第１ベース１０と第２ベース２０に間接的に固定されるものに限定されるものではなく、形状記憶合金ワイヤ３０が通電されたときに、第２ベース２０を駆動して光軸Ｓに垂直する方向に移動させることができれば、例えば、形状記憶合金ワイヤ３０が、他の機械的固定手段によって第１ベース１０と第２ベース２０に直接的に固定されてもよい。
【００３１】
図２及び図６を参照し、本実施例の改良形態として、凸柱４０は第１延伸部４１と第２延伸部４２を含み、第１延伸部４１と第２延伸部４２はいずれも円筒状を呈し、且つ第１延伸部４１の直径は第２延伸部４２の直径より大きく、第１延伸部４１は第２ベース２０に固定され、第２延伸部４２は第１延伸部４１の第２ベース２０から離れた側に突出して設置され、止め板５０は第２延伸部４２に固定され且つ第１延伸部４１及び第２ベース２０と一緒に環状溝５１を囲まれて形成し、第２固定端３３は環状溝５１の光軸Ｓに近接する側に固定される。
【００３２】
本実施例において、第２延伸部４２に止め板５０を設置することにより、形状記憶合金ワイヤ３０が凸柱４０から脱落するという問題を効果的に防止し、形状記憶合金ワイヤ３０の光軸Ｓ方向での固定を補強し、且つ当該固定方式が形状記憶合金ワイヤ３０の第２固定端３３自体をさらに固定することがなく、そのうちの１本の形状記憶合金ワイヤ３０が動作する時に、他の２本の形状記憶合金ワイヤ３０に追加する応力を生成しないので、形状記憶合金ワイヤ３０の耐用年数が延長される。
【００３３】
なお、凸柱４０は、上述したような構造に限定されるものではなく、例えば、第１延長部４１の直径が第２延長部４２の直径より小さく、または円筒形のように設置してもよい。
【００３４】
図２及び図５を参照し、本実施例の改良形態として、第１ベース１０には、さらに接続端子６０を取り付けるための凹溝１５が設けられ、第１側板１１と第２側板１２に間隔を置いて２つが設けられ、第３側板１３と第４側板１４に一つが設けられ、各凹溝１５内にいずれも一つの取付柱１６が突出して設置され、接続端子６０が凹溝１５内に設けられ、且つ接続端子６０に取付柱１６を貫通するための貫通孔６１が設けられる。
【００３５】
本実施例において、接続端子６０を凹溝１５内に設置することにより、光学防振アセンブリ１００の全体の高さを低下させることができ、小型化を実現することに有利であり、全体構造のコンパクト性を向上させる。
【００３６】
図５及び図７を参照し、本実施例の改良形態として、凹溝１５は第１溝部１５１と第２溝部１５２を含み、取付柱１６が第１溝部１５１内に設置され、接続端子６０が固定部６２、導電部６３、及び屈曲部６４を含み、貫通孔６１が固定部６２に設置され、固定部６２が第１溝部１５１内に嵌設され、形状記憶合金ワイヤ３０の第１固定端３１と第３固定端３５は、いずれも固定部６２に固定され、導電部６３は第２溝部１５２内に嵌設され、且つ外部電源に接続されることに用いられ、即ち、回路基板と溶接され、屈曲部６４はＳ字形を呈し、且つ導電部６３から固定部６２まで延伸し、導電部６３と固定部６２との間に高さの差を存在させることで、導電部６３と回路基板との溶接を容易に行うことができる。
【００３７】
（実施例２）
図８を参照し、本実施例が提供する光学防振アセンブリ２００と実施例１が提供する光学防振アセンブリ１００が主に相違点は、３本の形状記憶合金ワイヤの設置方式が異なるという点にあり、具体的には、本実施例において、第２側板２０１に一つの接続端子２０２のみが設けられることに対して、第４側板２０３には２つの接続端子２０２が設けられ、第３形状記憶合金線２０４の第１固定端と第３固定端が第４側板２０３に固定される２つの接続端子２０２に固定される。
【００３８】
以上に説明されたのは、本発明の実施形態に過ぎず、当業者にとっては、本発明の思想から逸脱しない限り、さらに改良することができ、これらの改良も本発明の保護範囲に含まれると理解すべきである。
【図１】
0006910746.tif 000002
【図２】
0006910746.tif 000003
【図３】
0006910746.tif 000004
【図４】
0006910746.tif 000005
【図５】
0006910746.tif 000006
【図６】
0006910746.tif 000007
【図７】
0006910746.tif 000008
【図８】
0006910746.tif 000009